(57)【要約】【課題】室外機本体をなす筐体の天板の剛性を十分に高めることができるとともに、天板の汚れを低減できる空気調和装置の室外機を提供する。【解決手段】本空気調和装置の室外機は、筐体の一部を形成する天板の短手方向の上面を、縁部から中央部に向かって高くなるように形成し、短手方向の縁部に対して中央部の高さは、天板の短手方向寸法の２％以上、かつ、天板の長手方向寸法の０．７％以上高く形成する。【選択図】  図２
2009145016.tif 000002
【特許請求の範囲】
【請求項１】
圧縮機、室外熱交換器などを収容する筐体を、この筐体の前面及び左右側面部を構成する側面キャビネットと、前記筐体の上部開ロを閉塞し上面部を構成する天板と、前記筐体の底面部を構成する底板で形成してなる空気調和装置の室外機において、前記天板の短手方向の上面を縁部から中央部に向かって高くなるように形成し、短手方向の縁部に対して中央部の高さは、前記天板の短手方向寸法の２％以上、かつ、前記天板の長手方向寸法の０．７％以上高く形成したことを特徴とする空気調和装置の室外機。
【発明の詳細な説明】
【技術分野】
【０００１】
本発明は空気調和装置の室外機に係り、特に室外機の本体をなす筐体の天板の形状を改良した空気調和装置の室外機に関する。
【背景技術】
【０００２】
従来、室外機の本体をなす筐体の天板にはある程度の強度が要求されており、この強度を高めるために、天板に溝を設けたもの（特許文献１）や、天板に複数の突出面を設けたもの（特許文献２）が提案されている。
【０００３】
しかしながら、特許文献１、２に記載の室外機のように、天板に溝や複数の突出面を設けるものは、天板の剛性を十分に高めることができなかった。
【０００４】
また、溝や複数の突出面間の隙間に雨水や塵埃がたまり易く、天板が汚れやすいという不具合があった。
【特許文献１】特開２００７−１０１９２号公報
【特許文献２】特開平８−２２６６７５号公報
【発明の開示】
【発明が解決しようとする課題】
【０００５】
本発明は上述した事情を考慮してなされたもので、室外機本体をなす筐体の天板の剛性を十分に高めることができるとともに、天板の汚れを低減できる空気調和装置の室外機を提供することを目的とする。
【課題を解決するための手段】
【０００６】
上述した目的を達成するため、本発明に係る空気調和装置の室外機は、圧縮機、室外熱交換器などを収容する筐体を、この筐体の前面及び左右側面部を構成する側面キャビネットと、前記筐体の上部開ロを閉塞し上面部を構成する天板と、前記筐体の底面部を構成する底板で形成してなる空気調和装置の室外機において、前記天板の短手方向の上面を縁部から中央部に向かって高くなるように形成し、短手方向の縁部に対して中央部の高さは、前記天板の短手方向寸法の２％以上、かつ、前記天板の長手方向寸法の０．７％以上高く形成したことを特徴とする。
【発明の効果】
【０００７】
本発明に係る空気調和装置の室外機によれば、室外機本体をなす筐体の天板の剛性を十分に高めることができるとともに、天板の汚れを低減できる空気調和装置の室外機を提供することができる。
【発明を実施するための最良の形態】
【０００８】
本発明の一実施形態に係る空気調和装置の室外機について図面を参照して説明する。
【０００９】
図１は本発明の一実施形態に係る空気調和装置の室外機の斜視図である。
【００１０】
図１に示すように、本発明の一実施形態に係る空気調和装置の室外機１は、室外機本体をなす筐体２を備え、この筐体２内には、いずれも図示しない圧縮機、室外熱交換器、四方弁及び電装品などが収容される。
【００１１】
筐体２は前面３ａ及び左右側面部３ｂ、３ｃを構成し、吹出口グリル３ｄを備えた空気吹出口３ｅが設けられかつ、コ字状に折曲される側面キャビネット３と、筐体２の上部開ロを閉塞し上面部を構成する天板４と、筐体２の底面部を構成する底板５とで形成されている。
【００１２】
図２及び図３に示すように、天板４は平面視長方形状をなし、短手方向の断面が略扁平かまぼこ状をなし、大きな曲率半径Ｒを有する円弧状の上面部４ａと、この上面部４ａの四つの縁部４ｂ（四辺）から垂直に延びる口字形状の側枠部４ｃからなる。以下、このような形状の天板４をラウンド型という。上面部４ａの四つの角部４ａ１はいずれも角取りされる。
【００１３】
天板４は短手（短辺）方向の長さをＬ１、長手（長辺）方向の長さをＬ２とし、縁部４ｂから上面部４ａの中央部（稜線高さ）４ａ２までの高さをＨとすると、ＨはＬ１の２％以上（Ｈ／Ｌ１≧０．０２）に、Ｌ２の０．７％以上（Ｈ／Ｌ２≧０．００７）に寸法比が設定される。
【００１４】
図９は天板の短手方向寸法に対する中央部高さの割合（Ｈ／Ｌ１）と平板に対する剛性アップ率を示し、この図９からもわかるように、天板４はＨがＬ１の２％以上の範囲では平板に対して、８０％以上の剛性アップを図ることができる。天板４はＨがＬ１の２％未満であると、剛性アップが急速に低下し、天板の剛性を保ちにくくなる。
【００１５】
また、図１０は天板の長手方向寸法に対する中央部高さの割合（Ｈ／Ｌ２）と平板に対する剛性アップ率を示し、この図１０からもわかるように、天板４はＨがＬ２の０．７％以上の範囲では平板に対して、８０％以上の剛性アップを図ることができる。天板４はＨがＬ２の０．７％未満であると、剛性アップが急速に低下し、天板の剛性を保ちにくくなる。
【００１６】
従来が天板に溝や突出面を設け天板の強度を増大させているが、雨水が溜まりやすく不衛生で美観上にも劣るのに対して、本実施形態の空気調和装置の室外機１は、平板４を上記のように寸法比にすることで天板４の剛性をアップさせ、天板４に上方から応力がかかっても、変形することがなく、さらに、天板４に溝等がないため、天板４に雨水が溜まりにくく、汚れがなく、衛生的で美観にも優れ、天板４の薄肉軽量化も可能になる。
【００１７】
次に平板の第１変形例について説明する。
【００１８】
上記実施形態における天板がラウンド型であるのに対して、本第１変形例は屋根型をなす。
【００１９】
例えば、図４及び図５に示すように、天板４Ａは平面視長方形状をなし、短手方向の断面が略屋根型をなし、く字形状の上面部４Ａａと、この上面部４Ａａの四つの縁部４ｂから垂直に延びる口字形状の側枠部４ｃからなる。上面部４Ａａの四つの角部４ａ１はいずれも角取りされる。
【００２０】
天板４Ａは短手方向の長さをＬ１、長手方向の長さをＬ２とし、縁部４ｂから上面部４ａの中央部（最高高さ位置）４ａ２までの高さをＨとすると、ＨはＬ１の２％以上（Ｈ／Ｌ１≧０．０２）に、Ｌ２の０．７％以上（Ｈ／Ｌ２≧０．００７）に寸法比が設定される。
【００２１】
図９からもわかるように、天板４ＡはＨがＬ１の２％以上の範囲では平板に対して、８０％以上の剛性アップを図ることができる。
【００２２】
また、図１０からもわかるように、天板４ＡはＨがＬ２の０．７％以上の範囲では平板に対して、８０％以上の剛性アップを図ることができる。
【００２３】
平板４Ａが上記のような寸法比であるので、天板４Ａの剛性をアップさせ、天板４Ａに上方から応力がかかっても、変形することがなく、さらに、天板４Ａに溝等がないため、天板４Ａに雨水が溜まりにくく、汚れがなく、衛生的で美観にも優れ、天板４Ａの薄肉軽量化も可能になる。
【００２４】
また、平板の第２変形例について説明する。
【００２５】
第１変形例が屋根型をなすのに対して、本第２変形例は扁平四角錐型をなす。
【００２６】
例えば、図６〜図８に示すように、天板４Ｂは平面視長方形状をなし、扁平四角錐型をなす上面部４Ｂａと、この上面部４Ｂａの四つの縁部４ｂから垂直に延びる口字形状の側枠部４ｃからなる。上面部４ａの四つの角部４ａ１はいずれも角取りされる。
【００２７】
短手方向の縦断面及び長手方向の縦断面は、いずれも屋根形状をなし、上記のような扁平四角錐型をなす。
【００２８】
天板４Ｂは短手方向の長さをＬ１、長手方向の長さをＬ２とし、縁部４ｂから上面部４Ｂａの中央部（最高高さ位置）４ａ２までの高さをＨとすると、ＨはＬ１の２％以上（Ｈ／Ｌ１≧０．０２）に、Ｌ２の０．７％以上（Ｈ／Ｌ２≧０．００７）に寸法比が設定される。
【００２９】
図９からもわかるように、天板４ＢはＨがＬ１の２％以上の範囲では平板に対して、８０％以上の剛性アップを図ることができる。
【００３０】
また、図１０からもわかるように、天板４ＢはＨがＬ２の０．７％以上の範囲では平板に対して、８０％以上の剛性アップを図ることができる。
【００３１】
平板４Ｂが上記のような寸法比であるので、天板４Ｂの剛性をアップさせ、天板４Ｂに上方から応力がかかっても、変形することがなく、さらに、天板４Ｂに溝等がないので、天板４Ｂに雨水が溜まりにくく、汚れがなく、衛生的で美観にも優れ、天板４Ｂの薄肉軽量化も可能になる。
【００３２】
本実施形態に係る空気調和装置の室外機によれば、室外機本体をなす筐体の天板の剛性を十分に高めることができるとともに、天板の汚れを低減できる空気調和装置の室外機が実現する。
【図面の簡単な説明】
【００３３】
【図１】本発明の一実施形態に係る空気調和装置の室外機の斜視図。
【図２】本発明の一実施形態に係る空気調和装置の室外機の天板の斜視図。
【図３】図２のＡ−Ａ線に沿う断面図。
【図４】本発明の一実施形態に係る空気調和装置の室外機の天板の第１変形例の斜視図。
【図５】図４のＢ−Ｂ線に沿う断面図。
【図６】本発明の一実施形態に係る空気調和装置の室外機の天板の第２変形例の斜視図。
【図７】図６のＣ−Ｃ線に沿う断面図。
【図８】図６のＤ−Ｄ線に沿う断面図。
【図９】本発明の一実施形態に係る空気調和装置の室外機に用いる天板の短手方向の剛性アップ率を示す特性図。
【図１０】本発明の一実施形態に係る空気調和装置の室外機に用いる天板の長手方向の剛性アップ率を示す特性図。
【符号の説明】
【００３４】
１…空気調和装置の室外機、２…筐体、３…側面キャビネット、３ａ…前面、３ｂ、３ｃ…側面部、３ｅ…空気吹出口、４…天板、４ａ…上面部、４ｂ…縁部、４ｃ…側枠部、４ａ１…角部、４ａ２…中央部、４Ｂａ２…中央部、５…底板。
【図１】
2009145016.tif 000003
【図２】
2009145016.tif 000004
【図３】
2009145016.tif 000005
【図４】
2009145016.tif 000006
【図５】
2009145016.tif 000007
【図６】
2009145016.tif 000008
【図７】
2009145016.tif 000009
【図８】
2009145016.tif 000010
【図９】
2009145016.tif 000011
【図１０】
2009145016.tif 000012